(57)【要約】【課題】頭髪が長い場合でも容易に、かつ素早く頭髪を束ねることが可能な髪留めを提供することを目的とする。【解決手段】頭髪を束ねる髪留め１００であって、留め部材１０と、前記留め部材１０を引っ掛ける引っ掛け部材２０と、前記留め部材１０と前記引っ掛け部材２０とを接続する伸縮部材３０と、前記伸縮部材３０を挿通する挿通部材４０とを備え、前記挿通部材４０は、共に連結した第一挿通部４１と第二挿通部４２とを有し、前記伸縮部材３０は、前記留め部材１０から前記第一挿通部の上面４１ａ、前記第二挿通部の下面４２ｂへと挿通して環状部５０を設け、前記引っ掛け部材２０と接続されることを特徴とする。【選択図】図１
0003225753.tif 000002
【実用新案登録請求の範囲】
【請求項１】
頭髪を束ねる髪留めであって、
留め部材と、
前記留め部材を引っ掛ける引っ掛け部材と、
前記留め部材と前記引っ掛け部材とを接続する伸縮部材と、
前記伸縮部材を挿通する挿通部材とを備え、
前記挿通部材は、共に連結した第一挿通部と第二挿通部とを有し、
前記伸縮部材は、前記留め部材から前記第一挿通部の上面、前記第二挿通部の下面へと挿通して環状部を設け、前記引っ掛け部材と接続されることを特徴とする髪留め。
【請求項２】
前記挿通部材は、８の字状になるよう前記第一挿通部と前記第二挿通部が形成されていることを特徴とする請求項１に記載の髪留め。
【請求項３】
前記留め部材は、球体、半球体、角錐、立方体、トーラス体、中空円筒、円柱、円錐、結ばれたトーラス体、スティック型、ハート型及び星型のいずれか１以上であることを特徴とする請求項１又は２に記載の髪留め。
【請求項４】
前記引っ掛け部材は、正面図で中抜きの円状又は矩形状、若しくはＣ状又はフック状のいずれかであることを特徴とする請求項１〜３のいずれかに記載の髪留め。
【請求項５】
前記伸縮部材は、ゴムであることを特徴とする請求項１〜４のいずれかに記載の髪留め。
【考案の詳細な説明】
【技術分野】
【０００１】
本考案は、頭髪を束ねる髪留めに関する。
【背景技術】
【０００２】
従来から、頭髪を束ねる髪留めは様々な仕様のものが使用されている。
【０００３】
例えば、特許文献１では、伸縮性を有するゴム紐２と、該ゴム紐２を通す孔を有する玉３と、を備える頭髪を結束するための髪ゴム１であって、ゴム紐２を屈曲した第１末端部４を玉３の孔に挿通して形成された環状の第１環状部５に、第１末端部４の反対側であってゴム紐２の両端の部分である第２末端部を挿通し、形成された環状の第２環状部７に頭髪を通して結束することを特徴とする髪ゴム１が記載されている。
【先行技術文献】
【特許文献】
【０００４】
【特許文献１】特開２０１６−１６８１７０号公報
【考案の概要】
【考案が解決しようとする課題】
【０００５】
しかしながら、上記髪ゴム１では、一度留めた髪が時間の経過につれ緩む可能性がある。また、束ねた頭髪を留める場合、通常視覚から外れた箇所で留めるため、例えば輪状のゴムの髪留めでは留めにくい。また、頭髪を束ねる場合、輪状のゴムに束ねた髪を何度も通す必要があり、特に頭髪が長い場合、非常に束ねにくい。
【０００６】
そこで上記従来技術が有する問題に鑑み、頭髪が長い場合でも容易に、かつ素早く頭髪を束ねることが可能な髪留めを提供することを目的とする。
【課題を解決するための手段】
【０００７】
本考案の一態様に係る髪留めは、頭髪を束ねる髪留めであって、留め部材と、前記留め部材を引っ掛ける引っ掛け部材と、前記留め部材と前記引っ掛け部材とを接続する伸縮部材と、前記伸縮部材を挿通する挿通部材とを備え、前記挿通部材は、共に連結した第一挿通部と第二挿通部とを有し、前記伸縮部材は、前記留め部材から前記第一挿通部の上面、前記第二挿通部の下面へと挿通して環状部を設け、前記引っ掛け部材と接続されることを特徴とする。
【０００８】
このようにすれば、頭髪が長い場合でも容易に、かつ素早く頭髪を束ねることが可能な髪留めを提供することができる。
【０００９】
このとき、本考案の一態様では、前記挿通部材は、８の字状になるよう前記第一挿通部と前記第二挿通部が形成しても良い。
【００１０】
このようにすれば、伸縮部材の挿通がスムーズに通り、頭髪が長い場合でもより容易に、かつ素早く頭髪を束ねることが可能となる。
【００１１】
このとき、本考案の一態様では、前記留め部材は、球体、半球体、角錐、立方体、トーラス体、中空円筒、円柱、円錐、結ばれたトーラス体、スティック型、ハート型及び星型のいずれか１以上としても良い。
【００１２】
このようにすれば、様々な形態の留め部材に対応でき、頭髪が長い場合でもより容易に、かつ素早く頭髪を束ねることが可能となる。
【００１３】
このとき、本考案の一態様では、前記引っ掛け部材は、正面図で中抜きの円状又は矩形状、若しくはＣ状又はフック状のいずれかでも良い。
【００１４】
このようにすれば、様々な形態の引っ掛け部材に対応でき、頭髪が長い場合でもより容易に、かつ素早く頭髪を束ねることが可能となる。
【００１５】
このとき、本考案の一態様では、前記伸縮部材は、ゴムとしても良い。
【００１６】
このようにすれば、伸縮部材の選択が最適となり、頭髪が長い場合でもより容易に、かつ素早く頭髪を束ねることが可能となる。
【考案の効果】
【００１７】
本考案によれば、頭髪が長い場合でも容易に、かつ素早く頭髪を束ねることが可能な髪留めを提供することができる。
【図面の簡単な説明】
【００１８】
【図１】図１は、本考案の一実施形態に係る髪留めの概要図である。
【図２】図２は、本考案の一実施形態に係る髪留めを使用したときの概要図である。
【図３】図３は、本考案の他の実施形態に係る髪留めを構成する引っ掛け部材の他のバリエーションの概要図である。
【図４】図４は、本考案の他の実施形態に係る髪留めを構成する引っ掛け部材の他のバリエーションの概要図である。
【考案を実施するための形態】
【００１９】
以下に説明する本実施形態は、実用新案登録請求の範囲に記載された本考案の内容を不当に限定するものではなく、本考案の要旨を逸脱しない範囲で変更が可能である。また、本実施形態で説明される構成の全てが本考案の解決手段として必須であるとは限らない。本考案の一実施形態に係る髪留めについて、図を用いながら下記に説明する。
【００２０】
本考案の一実施形態に係る髪留め１００は、図１に示すように、留め部材１０と、留め部材１０を引っ掛ける引っ掛け部材２０と、留め部材１０と引っ掛け部材２０とを接続する伸縮部材３０と、伸縮部材３０を挿通する挿通部材４０とを備える。
【００２１】
本考案の一実施形態に係る髪留め１００は、簡単かつありふれた部材で制作可能である。
【００２２】
そして、挿通部材４０は、第一挿通部４１と第二挿通部から構成され、共に連結していることを特徴とする。挿通部材４０は、共に連結していることが重要である。
【００２３】
図１に示すように、伸縮部材３０は、留め部材１０から第一挿通部４１の上面４１ａ、第二挿通部４２の下面４２ｂへと挿通して環状部５０を設け、引っ掛け部材２０と接続されることを特徴とする。つまり伸縮部材３０は、まず留め部材１０が接続され、第一挿通部の上面４１ａから第一挿通部の下面４１ｂへ通される。そして、第二挿通部の下面４２ｂから第二挿通部の上面４２ａへ通して引っ掛け部材２０と接続される。また、伸縮部材３０が第一挿通部の上面４１ａ、第二挿通部の下面４２ｂへと挿通したとき、環状部５０が設けられる。当該環状部５０は頭髪をまとめた髪を最初に通す部分である。なお、頭髪を留めるときには、伸縮部材３０をたるませることにより当該環状部５０がつくられるが、未使用時は伸縮部材３０がたるまなく環状部５０が小さくなり、ほぼない状態となる場合もある。
【００２４】
本考案の一実施形態に係る髪留め１００の使い方について説明する。留め部材１０から第一挿通部の上面４１ａを挿通してから第二挿通部の下面４２ｂへと挿通したとき、図１に示すように環状部５０が設けられる。その環状部５０に頭髪をまとめた髪を最初に通す。まとめた髪を通した後、引っ掛け部材２０を引っ張って上記環状部５０を絞り（縮め）、まとめた髪の周囲に沿って、引っ掛け部材２０を持ちながら伸縮部材３０を１回〜数回巻いて、最後に留め部材１０に引っ掛け部材２０を引っ掛けて頭髪を束ねる。このように、本考案の一実施形態に係る髪留めを使用したとき、図２のようになる。
【００２５】
本考案の一実施形態に係る髪留め１００では、留め部材１０に引っ掛け部材２０を引っ掛けて頭髪を束ねるので、時間が経過しても留めた髪が緩まない。また、本考案の一実施形態に係る髪留め１００の構成とすることで、頭髪を留める仕方が非常に簡単となり、頭髪が長い場合でも容易に、かつ素早く頭髪を束ねることが可能となる。
【００２６】
挿通部材４０は、伸縮部材３０が挿通できれば良く、形状や素材に限定はされないが、挿通部材４０は、８の字状になるよう第一挿通部４１と第二挿通部が形成されていることが好ましい。このようにすれば、伸縮部材３０の挿通がスムーズに通り、頭髪が長い場合でもより容易に、かつ素早く頭髪を束ねることが可能となる。伸縮部材３０の挿通がさらにスムーズになるように、挿通部材４０に、表面が滑らかな、プラスチック、テフロン（登録商標）、金属を用いても良く、挿通部材４０の表面に金属めっきを施しても良い。
【００２７】
留め部材１０は、引っ掛け部材２０が引っ掛かることができれば良く、形状や素材に限定はされないが、留め部材１０は、球体、半球体、角錐、立方体、トーラス体、中空円筒、円柱、円錐、結ばれたトーラス体、スティック型、ハート型及び星型のいずれか１以上が好ましい。その他に、キャラクターを形どったものなどが挙げられる。このようにすれば、様々な形態の留め部材１０に対応でき、頭髪が長い場合でもより容易に、かつ素早く頭髪を束ねることが可能となる。このように、留め部材１０は、様々な形態のバリエーションに変更可能である。
【００２８】
また、留め部材１０の材質は、限定はされないが、例えばプラスチック、テフロン（登録商標）、金属、表面に金属めっきを施したもの、ウッドやゴムなどが挙げられる。
【００２９】
引っ掛け部材２０は、留め部材１０に引っ掛けることができれば良く、形状や素材に限定はされないが、引っ掛け部材２０は、正面図で中抜きの円状、三角形又は矩形状、若しくはＣ状又はフック状のいずれかであることが好ましい。図１は引っ掛け部材２０がＣ状の髪留め１００である。また、図３及び図４は、本考案の他の実施形態に係る髪留めを構成する引っ掛け部材の他のバリエーションの概要図である。図３は引っ掛け部材２１が中抜きの円状（真円ではない円状）の髪留め１１０であり、図４は引っ掛け部材２２が中抜きの三角形の髪留め１２０である。このように、引っ掛け部材２０は、様々な形態のバリエーションに変更可能である。
【００３０】
このようにすれば、様々な形態の引っ掛け部材２０に対応でき、頭髪が長い場合でもより容易に、かつ素早く頭髪を束ねることが可能となる。正面図で中抜きの円状又は矩形状、若しくはＣ状の引っ掛け部材２０により留め部材１０を引っ掛ける。なお、引っ掛け部材２０は、正面図で中抜きの円状又は矩形状、若しくはＣ状のいずれか１以上としても良い。
【００３１】
また、引っ掛け部材２０の材質は、限定はされないが、例えばプラスチック、テフロン（登録商標）、金属、表面に金属めっきを施したもの、ウッドやゴムなどが挙げられる。
【００３２】
伸縮部材３０は、伸縮できるものであれば良く、材質に限定はされないが、伸縮部材３０は、ゴムであることが好ましい。このようにすれば、伸縮部材３０の選択が最適となり、頭髪が長い場合でもより容易に、かつ素早く頭髪を束ねることが可能となる。その他、バネ等が挙げられる。
【００３３】
また、留め部材１０は、分解可能であることが好ましい。これは、髪留め１００の使用回数を多くすると、留め部材１０と伸縮部材３０の接続部が細くなり、切れる場合がある。そこで、留め部材１０を分解可能とすることで、切れた伸縮部材３０の先端に玉止め等を行い、修理できる。なお、通常使用するときは、基本的に留め部材１０は分解せず使用する。
【００３４】
以上のように、本考案の一実施形態に係る髪留め１００によれば、頭髪が長い場合でも容易に、かつ素早く頭髪を束ねることが可能な髪留めを提供することができる。
【００３５】
なお、上記のように本考案の各実施形態について詳細に説明したが、本考案の新規事項及び効果から実体的に逸脱しない多くの変形が可能であることは、当業者には、容易に理解できるであろう。従って、このような変形例は、全て本考案の範囲に含まれるものとする。
【００３６】
例えば、明細書又は図面において、少なくとも一度、より広義又は同義な異なる用語と共に記載された用語は、明細書又は図面のいかなる箇所においても、その異なる用語に置き換えることができる。また髪留めの構成、動作も本考案の各実施形態及び各実施例で説明したものに限定されず、種々の変形実施が可能である。
【符号の説明】
【００３７】
１０  留め部材、２０、２１、２２  引っ掛け部材、３０  伸縮部材、４０  挿通部材、４１  第一挿通部、４１ａ  第一挿通部の上面、４１ｂ  第一挿通部の下面、４２  第二挿通部、４２ａ  第二挿通部の上面、４２ｂ  第二挿通部の下面、５０  環状部、
１００、１１０、１２０  髪留め
【図１】
0003225753.tif 000003
【図２】
0003225753.tif 000004
【図３】
0003225753.tif 000005
【図４】
0003225753.tif 000006